(57)【要約】【課題】店舗の閉店後に特売単価を通常単価に自動的に更新することができる。【解決手段】販売された商品が通常単価で販売された商品か特売単価で販売された商品かを商品単価判断（２１、２２）し、販売商品が特売商品の場合、特売商品の累計販売数算出（２１、２２）し、算出された累計販売数と設定されている在庫数とを数量比較（２１、２２）し、この数量比較結果、累計販売数が在庫数を超えた場合、特売単価を通常単価へ単価更新（２１、２２）する。【選択図】      図８
2008186369.tif 000002
【特許請求の範囲】
【請求項１】
通常単価で販売される商品と特売単価で販売される商品との商品販売登録受信機能を備え、販売登録された商品が前記通常単価で販売された商品か前記特売単価で販売された商品かを判断する商品単価判断手段と、この商品単価判断手段により前記商品が前記特売商品の場合、前記特売商品の累計販売数を算出する累計販売数算出手段と、この累計販売数算出手段により算出された前記累計販売数と設定されている在庫数とを比較する数量比較手段と、この数量比較手段により比較された結果、前記累計販売数が前記在庫数を超えた場合、前記特売単価を前記通常単価に更新する単価更新手段とを有することを特徴とする商品販売管理装置。
【請求項２】
通常単価で販売される商品と特売単価で販売される商品との商品販売登録機能を備えた商品販売登録装置と、前記商品販売登録を管理する商品販売管理装置とが通信回線で接続された商品販売データ処理システムにおいて、各商品に対して前記通常単価で販売される商品と前記特売単価で販売される商品と商品単価情報の商品データが設定された商品情報記憶部と、商品入力手段により入力された商品に対して前記商品情報記憶部から抽出された前記商品データに基づいて販売データを前記商品販売管理装置に送信する前記商品販売登録装置と、前記商品販売管理装置は、前記商品の前記販売データに基づいて前記特売単価か否かを判断する商品単価判断手段と、この商品単価判断手段により前記商品が前記特売商品の場合、前記特売商品の累計販売数を算出する累計販売数算出手段と、この累計販売数算出手段により算出された前記累計販売数と設定されている在庫数とを比較する数量比較手段と、この数量比較手段により比較された結果、前記累計販売数が前記在庫数より超えた場合には、前記特売単価を前記通常単価に更新する単価更新手段とを有することを特徴とする商品販売データ処理システム。
【請求項３】
前記単価更新手段により更新された前記通常単価を前記商品販売登録装置へ送信する通常単価送信手段とを有することを特徴とする請求項１記載の商品販売データ処理システム。
【請求項４】
通常単価で販売される商品と特売単価で販売される商品との商品販売登録を受信するステップと、商品販売登録された商品が前記通常単価で販売された商品か前記特売単価で販売された商品かを判断する商品単価判断ステップと、前記特売単価で販売された商品と判断された商品の販売データを集計し累計販売数を算出するステップと、前記累計販売数と設定されている在庫数とを比較する数量比較ステップと、前記累計販売数が在庫数を超えた場合、特売単価を通常単価に更新する単価更新ステップとを有することを特徴とする商品販売管理方法。
【請求項５】
販売商品の販売データを登録処理する商品販売登録装置と、前記販売データを管理処理する商品販売管理装置とが通信回線で接続された商品販売データ処理システムにおいて、前記商品販売登録装置は、通常単価で販売される商品と特売単価で販売される商品との販売データを登録するステップと、前記販売データを前記商品販売管理装置へ送信するステップと、前記商品販売管理装置は、前記販売データを受信するステップと、商品が前記特売単価で販売された商品かを判断する商品単価判断ステップと、前記特売単価で販売された商品と判断された商品の販売データを集計し累計販売数を算出するステップと、前記累計販売数と設定されている在庫数とを比較する数量比較ステップと、前記累計販売数が在庫数を超えた場合、前記特売単価を前記通常単価に更新する単価更新ステップとを有することを特徴とする商品販売データ処理方法。
【請求項６】
さらに、前記単価更新ステップにより更新された前記通常単価を前記商品販売登録装置へ送信する送信ステップとを有することを特徴とする請求項５記載の商品販売データ処理方法。
【発明の詳細な説明】
【技術分野】
【０００１】
本発明は、ＰＯＳ（Point Of Sales）システム等の商品販売管理装置、商品販売データ処理システム、商品販売管理方法および商品販売データ処理方法に関する。
【背景技術】
【０００２】
従来、販売店では、特売対象商品と特売期間とを設定し、その特売期間中は特売対象商品を通常の販売価格よりも値引きした特売単価で販売するサービスを実施することが多い。このような特売サービスを実施することにより、特定の商品を通常よりも安い価格で購入できるので集客効果が高まる。そして、来店した顧客の多くは、特売対象商品以外の商品も合せて購入するので、売上の増加が期待できる。このような特売を簡易的に処理できる従来の商品販売データ処理装置としては、次のようなものが知られている。（たとえば、特許文献１参照）。
【特許文献１】特開平２−１１２０９５号公報
【発明の開示】
【発明が解決しようとする課題】
【０００３】
特許文献１には、特売商品の在庫数と販売数とを管理する説明は記載されていない。
【０００４】
また、従来、特売商品が販売されて在庫がなくなると、オペレータにより特売単価を通常単価に変更するメンテナンスが必要であるという問題があった。
【０００５】
本発明の目的は、営業終了後に特売単価を通常単価に自動的に変更することができる商品販売管理装置、商品販売データ処理システム、商品販売管理方法および商品販売データ処理方法を提供しようとするものである。
【課題を解決するための手段】
【０００６】
本発明の商品販売管理装置は、通常単価で販売される商品と特売単価で販売される商品との商品販売登録受信機能を備え、販売登録された商品が前記通常単価で販売された商品か前記特売単価で販売された商品かを判断する商品単価判断手段と、この商品単価判断手段により前記商品が前記特売商品の場合、前記特売商品の累計販売数を算出する累計販売数算出手段と、この累計販売数算出手段により算出された前記累計販売数と設定されている在庫数とを比較する数量比較手段と、この数量比較手段の比較結果により前記累計販売数が前記在庫数を超えた場合に、前記特売単価を前記通常単価に更新する単価更新手段とを有することを特徴とする。
【０００７】
また、本発明の商品販売データ処理システムは、通常単価で販売される商品と特売単価で販売される商品との商品販売登録機能を備えた商品販売登録装置と、前記商品販売登録を管理する商品販売管理装置とが通信回線で接続された商品販売データ処理システムにおいて、各商品に対して前記通常単価で販売される商品と前記特売単価で販売される商品と商品単価情報の商品データが設定された商品情報記憶部と、商品入力手段により入力された商品に対して前記商品情報記憶部から抽出された前記商品データに基づいて販売データを前記商品販売管理装置に送信する前記商品販売登録装置と、前記商品販売管理装置は、前記商品の前記販売データに基づいて前記特売単価か否かを判断する商品単価判断手段と、この商品単価判断手段により前記商品が前記特売商品の場合、前記特売商品の累計販売数を算出する累計販売数算出手段と、この累計販売数算出手段により算出された前記累計販売数と設定されている在庫数とを比較する数量比較手段と、この数量比較手段の比較結果により前記累計販売数が前記在庫数より超えた場合には、前記特売単価を前記通常単価に更新する単価更新手段とを有することを特徴とする。
【０００８】
また、本発明の商品販売管理方法は、通常単価で販売される商品と特売単価で販売される商品との販売登録を受信するステップと、販売登録された商品が前記通常単価で販売された商品か前記特売単価で販売された商品かを判断する商品単価判断するステップと、前記特売単価で販売された商品と判断された商品の販売データを集計し累計販売数を算出するステップと、前記累計販売数と設定されている在庫数とを比較する数量比較ステップと、前記累計販売数が在庫数を超えた場合、特売単価を通常単価に更新する単価更新ステップとを有する。
【０００９】
また、本発明の商品販売データ処理方法は、販売商品の販売データを登録処理する商品販売登録装置と、前記販売データを管理処理する商品販売管理装置とが通信回線で接続された商品販売データ処理システムにおいて、前記商品販売登録装置は、通常単価で販売される商品と特売単価で販売される商品との販売データを登録するステップと、前記販売データを前記商品販売管理装置へ送信するステップと、前記商品販売管理装置は、前記販売データを受信するステップと、商品が前記特売単価で販売された商品かを判断する商品単価判断するステップと、前記特売単価で販売された商品と判断された商品の販売データを集計し累計販売数を算出するステップと、前記累計販売数と設定されている在庫数とを比較する数量比較ステップと、前記累計販売数が在庫数を超えた場合、前記特売単価を前記通常単価に更新する単価更新ステップとを有することを特徴とする。
【発明の効果】
【００１０】
本発明によれば、特売商品の累計販売数が在庫数を超えると自動的に特売単価から通常単価に更新されることでオペレータの負担を軽減でき、さらに顧客に誤って特売商品を販売してしまうことを防止できる。
【発明を実施するための最良の形態】
【００１１】
以下、本発明の実施の形態について図面を参照して説明する。
【００１２】
（第１実施の形態）図１は、本実施の形態に係る商品販売データ処理システム１１の概略図である。この商品販売データ処理システム１１は、店舗内のシステム全体をコントロールする商品販売管理装置としてのストアサーバ１２に、ＬＡＮ（Local Area Network）等の通信回線１３を介して商品販売登録装置としての複数台のＰＯＳターミナル１４を接続している。
【００１３】
図２は、ストアサーバ１２の要部構成を示すブロック図である。
【００１４】
図２に示すように、ストアサーバ１２は、ＣＰＵ(Central Processing Unit)を主体とした主制御部２１、ＲＯＭ（Read Only Memory）、ＲＡＭ（Random Access Memory）等のメモリ部２２、現在の日付および時刻を計時する時計部２３、通信回線１３を通じて各ＰＯＳターミナル１４とのデータ通信を制御する通信制御部２４、各種データおよびファイルを記憶するＨＤＤ（Hard Disc Drive）装置等の記憶部２５、キーボードなどの入力装置２６から入力されたデータを制御する入力制御部２７、表示部２８に対する画像表示を制御する表示制御部２９、店舗販売データなどの印刷を行うプリンタ３０の印刷動作を制御するプリンタ制御部３１を備えている。
【００１５】
そして、主制御部２１は、メモリ部２２、時計部２３、通信制御部２４、記憶部２５、入力制御部２７、表示制御部２９、プリンタ制御部３１と、をアドレスバス、データバス等のバスライン３２で接続している。
【００１６】
メモリ部２２には、各種データを書き換え自在に格納するメモリエリアが形成されている。このメモリエリアには、主制御部２１により記憶部２５に格納されている制御プログラムや各種データを読み込むようになっている。
【００１７】
記憶部２５には、主制御部２１のＣＰＵを動作させる制御プログラムのほかに商品情報記憶部として機能する商品マスタファイル３３、特売商品記憶部として機能する特売商品ファイル３４および販売商品情報記憶部として機能する店舗販売ファイル３５等が格納されている。
【００１８】
商品マスタファイル３３には、図３に示すように、商品毎に対してそれぞれプリセットされる商品コードに対応して商品名、通常単価、特売単価、および特売フラグ（商品単価情報）など設定エリアの各項目データからなる商品マスタレコード３３Ｒを記憶管理するデータファイルである。ここで通常単価とは、特売商品以外の該当商品の販売価格である。このとき特売フラグが「０」にリセットされるようになっている。また、特売単価は特売商品の該当商品の販売価格であって、該当商品が特売対象のときには、特売フラグが「１」にセットされるようになっている。
【００１９】
特売商品ファイル３４には、図４に示すように、商品コードに対応して商品名、特売単価、在庫数、特売期間など設定エリアの各項目データからなる特売商品レコード３４Ｒを記憶管理するデータファイルである。
【００２０】
店舗販売ファイル３５には、各ＰＯＳターミナル１４から送信される販売商品データを集計した店舗販売データを、図５に示すように、商品コードに対応した商品名、通常単価、特売単価、販売点数、販売金額および特売フラグなど設定エリアの各項目データからなる店舗販売レコード３５Ｒを記憶管理するデータファイルである。
【００２１】
ストアサーバ１２の主制御部２１は、毎閉店後の予め決められた時刻になると、商品マスタファイル３３の商品マスタレコード３３Ｒの商品マスタデータを各ＰＯＳターミナル１４へダウンロードするようになっている。
【００２２】
図６は、ＰＯＳターミナルの要部構成を示すブロック図である。
【００２３】
図６に示すように、ＰＯＳターミナル１４は、ＣＰＵを主体としたＰＯＳ制御部４１、ＲＯＭ、ＲＡＭ等のメモリ部４２、現在の日付および時刻を計時する時計部４３、通信回線１３を通じて接続されるストアサーバ１２とのデータ通信を制御する通信制御部４４、各種データおよびファイルを記憶するＨＤＤ（Hard Disc Drive）装置等の記憶部４５、キーボード、スキャナなどの入力装置４６から入力されたデータを制御する入力制御部４７、表示部４８に対する画像表示を制御する表示制御部４９、レシート印刷などを行うプリンタ５０の印刷動作を制御するプリンタ制御部５１、モードスイッチ（ＷＳ）５２からの信号入力およびドロワ５３を開放させるための駆動信号を出力するＩ／Ｏ（入出力）ポート５４などを備えている。
【００２４】
そして、ＰＯＳ制御部４１と、メモリ部４２、時計部４３、通信制御部４４、記憶部４５、入力制御部４７、表示制御部４９、プリンタ制御部５１、Ｉ／Ｏポート５４とをアドレスバス、データバス等のバスライン５５で接続している。
【００２５】
メモリ部４２には、各種データを書き換え自在に格納する機能を利用してワークエリア等の機能を果すようになっている。このワークエリアには、ＰＯＳ制御部４１により記憶部４５に格納されている制御プログラムや各種データを読み込むようになっている。
【００２６】
記憶部４５には、ＰＯＳ制御部４１のＣＰＵを動作させる制御プログラムのほかに商品情報記憶部として機能する商品ファイル５６および販売商品情報記憶部としてＰＯＳ販売ファイル５７等が格納されている。
【００２７】
商品ファイル５６には、ストアサーバ１２の商品マスタファイル３３の商品マスタレコード３３Ｒと同様に図３に示すように、商品マスタレコード３３Ｒを記憶管理するデータファイルである。
【００２８】
ＰＯＳ販売ファイル５７には、ストアサーバ１２の店舗販売ファイル３５の店舗販売レコード３５Ｒと同様に図５に示すように、商品コードに対応した商品名、通常単価、特売単価、販売点数、販売金額、特売フラグなど設定エリアの各項目データからなるＰＯＳ販売レコード３５Ｒを記憶管理するデータファイルである。
【００２９】
入力装置４６には、販売商品の商品コード、販売点数などを入力する商品入力手段５８としての機能と、１取引の販売商品の登録終了を宣言する登録締め手段５９としての機能を有する。
【００３０】
モードスイッチ（ＷＳ）５１は、「登録」、「点検」、「精算」、「設定」との各種業務モードを選択しその業務の実行をＰＯＳ制御部４１に通知するスイッチである。ちなみに、「登録」とは、商品入力手段５８により商品販売データが入力されるとその商品販売データを記憶部４５のＰＯＳ販売ファイル５７に商品販売登録処理し、登録締め手段５９により１取引として販売される商品の登録終了が宣言されるとその取引の決済処理を実行してレシートを発行させる業務モードである。
【００３１】
そして、営業日の閉店後に、ストアサーバ１２から商品マスタファイル３３の商品マスタレコード３３Ｒを各ＰＯＳターミナル１４の商品ファイル５６の商品マスタレコード３３Ｒへ通信回線１３を介してダウンロードされるようになっている。
【００３２】
本実施の形態に係る各ＰＯＳターミナル１４のＰＯＳ制御部４１は、モードスイッチ５１により「登録」モードが選択されている状態において、図７のフローチャートに示す商品販売登録処理を実行するように構成されている。
【００３３】
すなわち、ＰＯＳ制御部４１は、先ず、ＳＴ１１ーＮＯとして入力装置４６の商品入力手段５８により販売商品の商品コードが入力されるのを待機する。
【００３４】
ＳＴ１１ーＹＥＳとしてＰＯＳ制御部４１が販売商品の商品コードの入力がされたと判断したときから商品販売登録処理が開始される。
【００３５】
ＳＴ１２としてＰＯＳ制御部４１は、入力された商品コードで商品ファイル５７の商品マスタレコード３３Ｒを検索し当該商品コードと一致する商品コードの商品データを抽出する。
【００３６】
そして、ＳＴ１３として抽出した商品マスタレコード３３Ｒの特売フラグ（商品単価情報）を見て特売商品か通常販売商品かを調べる。
【００３７】
ＳＴ１３―ＹＥＳとして特売フラグが「１」にセットされていた場合には、ＳＴ１４として商品マスタレコード３３Ｒの特売単価を読出し、特売単価と販売点数を乗算して販売金額を算出し登録商品の販売データを表示部４８へ表示させる。
【００３８】
ＳＴ１３ーＮＯとして特売フラグが「０」にリセットされていた場合に、ＳＴ１５として商品レコード３３Ｒの通常単価を読出し、通常単価に販売点数を乗算して販売金額を算出し登録商品の販売データを表示部４８へ表示させる。
【００３９】
次に、ＰＯＳ制御部４１は、ＳＴ１６として入力装置４６の登録締め手段５９により１取引の商品登録終了が宣言されたか否かを判断する。そして、ＳＴ１６−ＮＯとして商品登録終了が宣言されない場合、ＳＴ１１に戻り商品入力手段５９により次の販売商品が入力されるのを待機する。
【００４０】
ＳＴ１６−ＹＥＳとして登録締め手段５９により１取引の商品登録終了が宣言された場合には、ＳＴ１７として決済処理が実行される。
【００４１】
次に、ＳＴ１８としてこの１取引で登録された販売商品の商品コードに対応して商品名、単価、販売点数、販売金額および特売フラグ等の商品販売データ伝文を作成する。
【００４２】
そして、ＳＴ１９として通信制御部４４を介して商品販売データ伝文をストアサーバ１２へ送信する。
【００４３】
次に、本実施の形態に係るストアサーバ１２において、主制御部２１は、記憶部２５に格納された制御プログラムに従って図８のフローチャートに示す特売メンテナンス処理を実行するように構成されている。
【００４４】
ストアサーバ１２の主制御部２１は、たとえば、営業日の閉店後の予め決められた時刻になると実施されるメンテナンス業務において、図３に示すように、商品マスタファイル３３の商品マスタレコード３３Ｒを作成し各ＰＯＳターミナル１４へ送信するようになっている。
【００４５】
先ず、ＳＴ３１としてストアサーバ１２の主制御部２１は、いずれかのＰＯＳターミナル１４から商品販売データ伝文を受信する。
【００４６】
ＳＴ３２として主制御部２１は、店舗販売ファイル３５に販売商品データを格納する。
【００４７】
ＳＴ３３として主制御部２１は、販売商品データの特売フラグを見て当該商品が特売商品か通常販売商品かを調べる（商品単価判断手段）。
【００４８】
ＳＴ３３−ＹＥＳとして特売フラグが「１」にセットされていた場合、すなわち、特売商品なので、主制御部２１は、店舗の閉店後にＳＴ３４として店舗販売ファイル３５に記憶されている当該商品コードの販売数を集計し累計販売数を算出する（累計販売数算出手段）。
【００４９】
主制御部２１は、ＳＴ３５として特売商品ファイル３４に設定されている特売商品レコード３４Ｒの特売商品の設定された在庫数を読出し特売商品の累計販売数との数量を比較する（数量比較手段）。
【００５０】
ＳＴ３６として特売商品の在庫数＜特売商品の累計販売数か否かを判断する（数量比較手段）。すなわち、累計販売数が在庫数を超えているかを判断する。
【００５１】
ＳＴ３６−ＹＥＳとして主制御部２１は、在庫数＜累計販売数と判断するとＳＴ３７として特売フラグ「１」を「０」にリセットする。すなわち、特売単価を通常単価へ更新処理（単価更新手段）を行う。
【００５２】
ＳＴ３８として主制御部２１は、当該商品コードに対応する特売フラグを「０」にリセットし、通常商品とした商品マスタレコード３３Ｒについて開店バッチ処理を行い開店前に各ＰＯＳターミナル１４へ送信する。
【００５３】
また、ＳＴ３６−ＮＯとして在庫数＞累計販売数の場合は、ＳＴ３９として主制御部２１は、当該商品コードに対応する特売期間終了かを調べる。
【００５４】
ＳＴ３９−ＹＥＳとして特売期間が終了している場合は、ＳＴ３７の処理を行う。
【００５５】
また、ＳＴ３９−ＮＯとして特売期間が終了していない場合は、特売フラグ「１」の状態を維持し、特売単価で継続して特売商品の販売を行なう。
【００５６】
ＳＴ３３−ＮＯとして通常販売商品の場合は、ＳＴ４０として主制御部２１は、当該商品コードの販売数を集計処理し店舗販売ファイル５７に格納する。そして、翌日も継続して通常販売商品として販売を行う。
【００５７】
（第２実施の形態）第１実施の形態では、ＰＯＳターミナル１４のＰＯＳ販売レコード３５Ｒの特売フラグを用いて特売商品を判断したが、本実施の形態では、ＰＯＳターミナル１４から１取引ごとに作成されたトランザクションデータを基にストアサーバ１２の主制御部２１が特売商品を判断する。なお、第１実施の形態と同一部分は同じ符号をつけて詳細の説明は省略する。
【００５８】
ストアサーバ１２の主制御部２１は、記憶部２５に格納された制御プログラムに従って図９のフローチャートに示す特売メンテナンス処理を実行する。
【００５９】
先ず、ＳＴ５１としてストアサーバ１２の主制御部２１は、いずれかのＰＯＳターミナル１４からトランザクションデータを受信する。
【００６０】
ＳＴ５２として主制御部２１は、店舗販売ファイル３５にトランザクションデータを格納する。
【００６１】
店舗の閉店後、夜間バッチ処理を行い、ＳＴ５３として主制御部２１は、トランザクションデータの当該商品が特売商品かまたは通常商品かを調べる（商品単価判断手段）。
【００６２】
ＳＴ５３−ＹＥＳとして特売商品の場合、主制御部２１は、ＳＴ５４として店舗販売ファイル３５に記憶されている当該特売商品の販売数を集計し累計販売数を算出する（累計販売数算出手段）。
【００６３】
主制御部２１は、ＳＴ５５として特売商品レコード３４Ｒの特売商品の設定された在庫数を読出し特売商品の累計販売数との数量を比較する（数量比較手段）。
【００６４】
ＳＴ５６として特売商品の在庫数＜特売商品の累計販売数か否かを判断する（数量比較手段）。すなわち、累計販売数が在庫数を超えているかを判断する。
【００６５】
ＳＴ５６−ＹＥＳとして主制御部２１は、在庫数＜累計販売数と判断するとＳＴ５７として特売単価を通常単価へ更新処理（単価更新手段）し特売終了処理を行う。
【００６６】
ＳＴ５８として主制御部２１は、通常単価へ更新処理された当該商品の商品コードを各ＰＯＳターミナル１４へ送信する。
【００６７】
また、ＳＴ５６−ＮＯとして在庫数＞累計販売数の場合は、ＳＴ５９として主制御部２１は、当該商品コードに対応する特売期間終了か否かを調べる。
【００６８】
ＳＴ５９−ＹＥＳとして特売期間が終了している場合は、ＳＴ５７の処理を行う。
【００６９】
また、ＳＴ５９−ＮＯとして特売期間が終了していない場合は、特売単価で継続して特売商品の販売を行なう。
【００７０】
ＳＴ５３−ＮＯとして通常販売商品の場合は、ＳＴ６０として主制御部２１は、当該商品コードの販売数を集計処理し店舗販売ファイル５７に格納する。そして、翌日も継続して通常販売商品として販売を行う。
【００７１】
なお、特売商品登録時の特売在庫数を特売累計販売数が上回った場合、特売期間内でも翌日からは通常単価で販売処理する。
【００７２】
以上、本実施の形態について説明したように、特売商品の累計販売数が設定された在庫数を超えると、主制御部２１は、当該商品の特売単価を通常単価へ単価更新することによりオペレータの負担を軽減できるとともに作業効率の向上を図ることができる。
【００７３】
本実施の形態では、商品入力手段５８で入力された商品コードで記憶部４５の商品ファイル５７の商品マスタレコード３３Ｒから検索を行い、そして、商品ファイル５７に設定された該当商品マスタレコード３３Ｒに対応する商品名、通常単価、特売単価、特売フラグの商品データを抽出するように説明したが、ストアサーバ１２の商品マスタファイル３３の商品マスタレコード３３Ｒに対して問合せを行ってもよい。
【００７４】
以上説明したように、本発明は前記実施の形態に限定されるものではなく、実施の段階ではその趣旨を逸脱しない範囲で種々に変形することが可能であるのは勿論である。
【図面の簡単な説明】
【００７５】
【図１】本発明第１実施の形態に係る商品販売データ処理システムにおける要部構成を示すブロック図。
【図２】同実施の形態に係るストアサーバにおける要部構成を示すブロック図。
【図３】同実施の形態の商品マスタファイル構成を示す図。
【図４】同実施の形態の特売情報ファイル構成を示す図。
【図５】同実施の形態の店舗販売ファイル構成を示す図。
【図６】同実施の形態に係るＰＯＳターミナルにおける要部構成を示すブロック図。
【図７】同実施の形態に係るＰＯＳターミナルの動作を示すフローチャート。
【図８】同実施の形態に係るストアサーバの動作を示すフローチャート。
【図９】本発明の第２実施の形態に係るストアサーバの動作を示すフローチャート。
【符号の説明】
【００７６】
１１…商品販売データ処理システム、１２…ストアサーバ、１３…通信回線、１４…ＰＯＳターミナル、２１…主制御部、２２…メモリ部、２５…記憶部、２６…入力装置、３３…商品マスタファイル、３３Ｒ…商品マスタレコード、３４…特売商品ファイル、３４Ｒ…特売商品レコード、３５…店舗販売ファイル、３５Ｒ…店舗販売レコード、４１…ＰＯＳ主制御部、４２…メモリ部、４５…記憶部、４６…入力装置、５６…商品ファイル、５７…ＰＯＳ販売ファイル、５８…商品入力手段、５９…登録締め手段。
【図１】
2008186369.tif 000003
【図２】
2008186369.tif 000004
【図３】
2008186369.tif 000005
【図４】
2008186369.tif 000006
【図５】
2008186369.tif 000007
【図６】
2008186369.tif 000008
【図７】
2008186369.tif 000009
【図８】
2008186369.tif 000010
【図９】
2008186369.tif 000011